(57)【要約】      （修正有）【課題】ＣＯ２を排出せず、しかも、設備費や燃料費コストが安価でかつ連続運転が可能なボイラーを提供する。【解決手段】固定架台上にセットされた薪をそのまま移動させ所定の時間毎に薪を供給できる搬送装置と、薪投入を自動化できる扉を有するボイラーを設けた。搬送装置とボイラーを組み合わせることで薪ボイラーの長所を失うことなく短所であった連続運転を可能にしたものである。【選択図】図１
0003170314.tif 000002
【実用新案登録請求の範囲】
【請求項１】
薪あるいは竹等の固形燃焼材料を固定架台上にセットし、直線もしくは回転的に薪を移動させ、所定の位置で落下又は取り出すことが可能な薪の搬送装置。
【請求項２】
薪あるいは竹等の固形燃料材料の落下で扉が自動開閉する扉（1枚または複数枚）を有するボイラー、ストーブ、暖炉等燃焼装置。  
【請求項３】
請求項（1）請求項（2）を独立で設置するとボイラーの熱が搬送装置に伝わることを防ぐことができると同時に、並べて利用することで請求項（1）、（2）の効果をより高めた連続運転が可能な燃焼装置（例えば連続運転が可能な薪ボイラー、ストーブ、暖炉）。
【考案の詳細な説明】
【技術分野】
【０００１】
機械・加工
【背景技術】
【０００２】
これまでの薪ボイラーはボイラー内に薪を投入、薪の燃焼が進むと人が扉を開けて薪を投入する方法で使われている。また、既往の技術も薪投入装置とボイラーが一体となったり、投入装置が複雑で高価なものになっている。それゆえ、薪ボイラーの連続運転は困難であると周知されている。したがって、簡易な装置で人がついていなくとも連続運転ができる薪ボイラーの出現を要望されている。
【先行技術文献】
【特許文献】
【０００３】
【特許文献１】木材を破砕チップやペレットとして連続運転を可能したとものは見受けられるが、薪をそのまま利用してボイラーを連続運転するものは見当たらない。「連続運転ができる（可能な）薪ボイラー（ストーブ）」で検索しても０件と表示される。
【特許文献２】薪燃焼装置として特開2009-144945（本燃焼装置は連続運転が可能と思われる）、木質ペレット関係特開2004-191010  他
【非特許文献】
【０００４】
【非特許文献１】京都府宮津市平成21年2月「宮津市木質バイオマス活用ビジョン」。  6.1  導入システムの評価検討  図表6-1  木質バイオマスエネルギー利用システムの評価と方向性。によると薪は「森林組合が既に薪の供給を行っている。利用設備では自動供給が困難なため、小規模施設での利用に限られる」となっており。薪の自動供給は困難であると判断されている。  また、6.2.2木質バイオマス燃料ごとの比較  図表  6-2  燃料ごとの比較。によると、「農業用ボイラー等連続運転が必要なものは対応機器なし」となっている。即ち上記の論文は薪の自動供給即ち連続運転は困難で対応機器もないと評価されている。※「gooleインターネット検索による」
【考案の概要】
【考案が解決しようとする課題】
【０００５】
薪ボイラーを温室等の連続暖房供給源とする場合は人が徹夜をして管理しなければならない。  既往の技術で連続運転が可能と思われる燃焼装置もあるが、投入装置とボイラーが一体となっており、中空体の投入機や薪を収納するためのストっカーを必要とするなど複雑な機構となっている。  また、木材ペレットを利用したボイラーや重油・灯油等によるボイラーは連続運転が可能であるがＣＯ2の排出や燃料費コストが高い。
本考案はそれぞれの欠点を解消するために、ストッカーや中空体の投入機を必要とせず、簡易な薪搬送装置と分離したボイラーを並べて使用することで、ＣＯ2を排出せず、しかも、設備費や燃料費コストが安価でかつ連続運転が可能なボイラーを目的としたものである。
【課題を解決するための手段】
【０００６】
水平又は傾斜した板を持つ架台に薪をセットし、分割された区画を有する薪搬送装置を利用して、定時又は連続的に薪を移動させ架台に設けた穴より薪を落下させる。落下した薪は自動開閉可能な扉を有するボイラー自動投入され、連続運転を可能にしたものである。
【考案の効果】
【０００７】
暖炉等を含め薪を使用したボイラーを連続運転するときには必ず人が管理して薪を投入する必要あったため、連続運転をあきらめるか、もしくは人が徹夜して管理しなければならなかった。  また、既往の技術も投入装置とボイラーが一体となったり、各種のセンサーを利用して薪供給や消火が可能であるが、構造は複雑になっている。以上の理由で連続運転は重油・灯油・電気による蓄熱・あるいは木材をペレット状にして燃焼するボイラーが使われている。  
本考案を利用すれば、簡易な装置で薪ボイラーを夜間連続運転させることが出来、燃料代の大幅な削減が期待される、ＣＯ2の排出も無い。 (木材の燃焼は成長期のＣＯ2吸収を考慮して燃焼時のＣＯ2排出は0とされている）
【図面の簡単な説明】
【０００８】
【図１】1：搬送装置（架台上にセットされた薪を直線又は回転で移動させ、開口部まで搬送する）  2：板を有する固定架台  3：駆動装置  4：落下用開放部（固定架台）  5：シュート  6：薪ボイラー  7：通常扉（点検用及び通常の薪投入扉）  8：自動開閉扉（薪が落下する時開放しその後自重で閉鎖する）  9：投入装置とボイラーの分離部（断熱の為の空間）  10：薪（架台上にセットされた薪）  11：架台上を移動中の薪  12：落下中の薪（固定架台の開口部より落下中の薪）  13：燃焼中の薪（燃焼中の薪の上に投入された新しい薪）  14：燃焼室  15：燃焼中の炎（想定炎）  16：循環用水  17：煙突（燃焼後の排煙出口）  18：温水の取り出し口  19：冷却された水の取り入れ口  20：スイッチ箱    装置の概要：投入装置にセットされた薪は定時間毎に架台の開口部から落下しシュートを通ってボイラーに投入され燃焼室内で燃焼する。搬送装置にセットされた薪がなくなるまで連続運転が可能である。
【考案を実施するための形態】
【０００９】
以下、図面に示す実施例にしたがって、本考案の実施形態を詳述する。
図1は本考案の一実施例の図面であるが、平板を持つ架台の上部に薪をセットし、移動可能な区割りされた区画を直線又は回転させて開口部上に薪を移動させ、落下用の穴を切り欠いた架台上にくると薪は落下する。
落下した薪はシュートを通過し、ボイラーに設けた開閉自由の扉を通過してボイラー内の燃焼室に入り燃焼する。
ボイラーには自重開閉による扉を2重に設けるとともに、投入装置とボイラーを別々の装置とすることで、ボイラーからの燃焼熱が搬送装置に伝わることを防止している。
本実施例にに置いては搬送装置を直線状あるいは回転式にすることやボイラーの投入扉を1枚にしたり複数枚にすることが可能である。その選択は全体の構成上の設計で自由に選択できるものである。
【実施例】
【００１０】
本考案の実施については、現在数多く利用されている農業用の重油・灯油ボイラーと併用して利用するすれば、簡易装置の欠点である最悪の場合の温度管理は従来のボイラーで対応し、薪ボイラーは通常状態の燃焼装置としてフル活用でき大幅なコスト削減が可能である。
実施例1：温室暖房
温室内又は外に連続運転可能な薪ボイラーを設置し、温室内循環パイプの一方を薪ボイラーの温水パイプに、他方を冷水パイプに接続する、又は既設の暖房設備と接続する。  ボイラーに所定の水位になるまで給水、薪搬送装置を所定の時間にセットする。
ボイラーに薪を投入着火し運転開始となる。
実施例2：建物暖房
下屋等の屋外に連続運転可能な薪ボイラーを設置し、暖房用循環パイプの一方を温水パイプに他方を冷水パイプに接続し、例1と同様に運転を開始する。
ただし、例1例2とも循環パイプの高さはボイラーの水位以下とする。
【産業上の利用可能性】
【００１１】
現在世界的に化石燃料の利用削減が叫ばれており、木材を燃料として有効利用する技術が望まれていろ。
しかし、これまで薪を連続投入できる装置は少なく、あっても複雑で高価な装置や、木材を一度破砕、ペレット上にして利用してきた。木材を加工する工程では動力が必要で結果的には燃料生成のために化石燃料を使わざるを得なかった。  従って、ＣＯ2削減（※1）効果は少ないものであった。
本考案は既往の技術や木材ペレットを燃料にする方法と比較して、簡単な搬送装置と薪ボイラーで連続運転を可能にし、  1：初期の設備投資や運転費用が安価になる  2：破砕場への輸送が不要  3：破砕装置が不要  4：ペレット造成装置が不要  5：生成したペレットをボイラー設置場所までの輸送が不要  と大きなコスト削減とＣＯ2の排出が削減できる。
さらに、現在放置されている間伐材や竹等を燃料にすれば森林・竹林の保全にもつながる。まさに現代が要求しているエコシステムとなる。  当然、社会に大きな貢献ができる。
また、現在のように石油製品が大幅に値上がりしている現状にあっては農業用ハウスの暖房に連続運転の可能な薪ボイラーを利用すれば経費の削減とＣＯ2の削減が同時にできることになる。
【符号の説明】
【００１２】
※1  木材の場合は成長過程でＣＯ2を取り込むため、木材の燃焼による熱源はＣＯ2を発生しないとされている。
【図１】
0003170314.tif 000003
【手続補正書】
【提出日】平成23年6月27日(2011.6.27)
【手続補正１】
【補正対象書類名】明細書
【補正対象項目名】０００５
【補正方法】変更
【補正の内容】
【０００５】  薪ボイラーを温室等の連続暖房供給源とする場合は人が徹夜をして管理しなければならない。  既往の技術では中空体の投入機や薪を収納するためのストッカーを必要とするなど複雑な機構となっている。  また、木材ペレットを利用したボイラーや重油・灯油等によるボイラーは連続運転が可能であるがＣＯ２の排出や燃料費コストが高い。本考案はそれぞれの欠点を解消するために、設備費や燃料費コストが安価でかつ連続運転が可能なボイラーを目的としたものである。
【手続補正２】
【補正対象書類名】明細書
【補正対象項目名】０００８
【補正方法】変更
【補正の内容】
【０００８】
【図１】は連続運転できる薪ボイラーの正面図で、向かって左側が搬送装置、右側が薪ボイラーである。
【手続補正３】
【補正対象書類名】明細書
【補正対象項目名】００１２
【補正方法】変更
【補正の内容】
【００１２】  １：搬送装置  ２：落下用開放部  ３：駆動装置  ４：架台  ５：シュート  ６：薪ボイラー  ７：通常扉  ８：上部を軸で固定し回転可能な自動開閉扉  ９：搬送装置とボイラーの分離部  １０：薪  １１：架台上を移動中の薪  １２：落下中の薪  １３：燃焼中の薪  １４：燃焼室  １５：燃焼中の炎  １６：循環用水  １７：煙突  １８：温水の取り出し口  １９：冷却された水の取り入れ口  ２０：スイッチ箱
【手続補正４】
【補正対象書類名】実用新案登録請求の範囲
【補正対象項目名】全文
【補正方法】変更
【補正の内容】
【実用新案登録請求の範囲】
【請求項１】
搬送装置の開放部と組み合わせる上部を薪ボイラー本体と軸で固定し、回転可能な自動開閉扉を有する薪ボイラー。
【請求項２】
請求項１記述の薪ボイラーと組み合わされる搬送装置であって、固定架台上に薪をセットする枠を有し、前記落下用開放部までセットされた薪を移動させる駆動部装置及び前記落下用開放部と前記自動開閉扉を接続するシュートを備えたことを特徴とする搬送装置。